(57)【要約】【課題】カメムシを効果的に捕虫する。【解決手段】後端に大径開口１８ａ、及び先端に小径開口２０ａを有する漏斗状のカメムシ滑落部品１４であって、大径開口端を鉛直方向上向きに、かつ小径開口端を鉛直方向下向きに配置したカメムシ滑落部品と、カメムシ滑落部品の大径開口端側の内壁に固定された、最大発光ピークが約５３０〜約６００ｎｍの範囲に存在する電球型のカメムシ捕虫用光源１２と、小径開口端の下側に配置され、小径開口端から落下するカメムシを捕らえる捕虫容器１６とを備える【選択図】図１３
0003124690.tif 000002
【実用新案登録請求の範囲】
【請求項１】
後端に大径開口端、及び先端に小径開口端を有する漏斗状のカメムシ滑落部品であって、前記大径開口端を鉛直方向上向きに、かつ前記小径開口端を鉛直方向下向きに配置した当該カメムシ滑落部品と、
前記カメムシ滑落部品の前記大径開口端側の内壁に固定された、最大発光ピークが５３０〜６００ｎｍの範囲に存在する電球型のカメムシ捕虫用光源と、
前記小径開口端の下側に配置され、該小径開口端から落下するカメムシを捕らえる捕虫容器とを備えることを特徴とするカメムシ捕虫器。
【請求項２】
前記捕虫容器は、前記小径開口端における小径開口との連通部を除いて密閉可能に構成されていることを特徴とする請求項１に記載のカメムシ捕虫器。
【請求項３】
前記捕虫容器は、透明な材料から形成されていることを特徴とする請求項１又は２に記載のカメムシ捕虫器。
【請求項４】
前記捕虫容器中に、前記カメムシを死亡させるための液体を入れておくことを特徴とする請求項１〜３のいずれか一項に記載のカメムシ捕虫器。
【請求項５】
前記捕虫容器は、側面及び底面で囲まれた容器本体と、前記連通部が形成され、かつ該容器本体から取り外し可能な蓋とを備えていることを特徴とする請求項１〜４のいずれか一項に記載のカメムシ捕虫器。
【請求項６】
前記蓋が前記カメムシ滑落部品を兼ねることを特徴とする請求項５に記載のカメムシ捕虫器。
【考案の詳細な説明】
【技術分野】
【０００１】
この考案は、カメムシの捕虫に好適なカメムシ捕虫器に関する。
【背景技術】
【０００２】
カメムシは日本全土に分布し、秋になると越冬のために大集団で建築物等に侵入する。カメムシは、独特の臭気を発し、居住者等の住環境を悪化させる。
【０００３】
カメムシによる被害はこれだけにとどまらない。特に、発電所に侵入したカメムシは、電力供給上で重大な障害を発生させることがある。過去に考案者は、各種リレーの接点部に侵入したカメムシにより引き起こされた接触不良を幾度も経験している。
【０００４】
カメムシに限らず、昆虫類は紫外線に誘虫されることが知られている。この性質を利用して、昆虫類を捕虫する捕虫装置（以下、従来技術と称する。）が提案されている（例えば、特許文献１参照）。この従来技術は、光源として直管状の紫外線発光灯を用い、光源の直下に、光源とは別体の漏斗状の虫類収集箱が配置されている。
【特許文献１】特開平２００３−５２２９３号公報
【考案の開示】
【考案が解決しようとする課題】
【０００５】
しかし、従来技術は、光源が直管状の紫外線発光灯であり、さらに光源と虫類収集箱が別体であるため、装置の占有スペースが大きくなるという問題点が存在した。また、光源から照射される紫外線は、人体に悪影響を及ぼす可能性があった。
【０００６】
これらの問題を解決するために、考案者はカメムシの生態について鋭意検討を行った。その結果、特定波長の可視光線がカメムシの誘虫に効果的であることを見いだした。
【０００７】
したがって、この考案の目的は、光源として紫外線を用いずにカメムシを効果的に捕虫することができ、かつ従来技術よりも占有スペースが小さいカメムシ捕虫器を提供することにある。
【課題を解決するための手段】
【０００８】
上述した目的を達成するために、この考案のカメムシ捕虫器は、後端に大径開口端、及び先端に小径開口端を有する漏斗状のカメムシ滑落部品であって、大径開口端を鉛直方向上向きに、かつ小径開口端を鉛直方向下向きに配置したカメムシ滑落部品と、カメムシ滑落部品の大径開口端側の内壁に固定された、最大発光ピークが５３０〜６００ｎｍの範囲に存在する電球型のカメムシ捕虫用光源と、小径開口端の下側に配置され、小径開口端から落下するカメムシを捕らえる捕虫容器とを備える。
【０００９】
考案者らの検討によれば、カメムシは、５３０〜６００ｎｍの範囲の波長の可視光線を特に好むことが明らかとなった。したがって、この波長範囲に最大発光ピークを有する光源により、カメムシを効果的に捕虫することができる。
【００１０】
つまり、カメムシ捕虫用光源に向かって飛来し、カメムシ捕虫用光源に衝突したカメムシは、カメムシ滑落部品の漏斗状の斜面を滑落し、小径開口端に設けられた小径開口を介して捕虫容器に捕らえられる。
【００１１】
捕虫容器は、小径開口端における小径開口との連通部を除いて密閉可能に構成されていることが好ましい。
【００１２】
このように構成することにより、捕虫容器からのカメムシの逃走を防ぐことができる。
【００１３】
捕虫容器は、透明な材料から形成されていることが好ましい。
【００１４】
このように構成することにより、捕虫容器内のカメムシ捕虫量を外側から確認することができる。ただし、カメムシ捕虫器を公共施設や宿泊施設等の人目に触れる場所に設置する場合は、周囲の人間に不快感を与えないように、捕虫容器は非透明または半透明とすることが好ましい。
【００１５】
捕虫容器中に、カメムシを死亡させるための液体を入れておくことが好ましい。
【００１６】
このように構成することにより、捕虫容器に捕らえられたカメムシを死亡させることができる。その結果、捕虫容器を開放した際にカメムシの逃走を防ぐことができる。
【００１７】
捕虫容器は、側面及び底面で囲まれた容器本体と、連通部が形成され、かつ容器本体から取り外し可能な蓋とを備えていることが好ましい。
【００１８】
このように構成することにより、捕虫容器を、連通部を除いては密閉することができる。よって、カメムシの逃走を防止することができるとともに、臭気の拡散を抑制することができる。
【００１９】
蓋がカメムシ滑落部品を兼ねることが好ましい。
【００２０】
このように構成することにより、カメムシ捕虫器の構成部品点数を削減することができる。結果としてカメムシ捕虫器の構造がより簡単になる。
【考案の効果】
【００２１】
この考案によれば、特定波長の可視光線によりカメムシを効果的に捕虫することができ、かつ従来技術よりも占有スペースが小さいカメムシ捕虫器が得られる。
【考案を実施するための最良の形態】
【００２２】
以下、図を参照して、この考案の実施の形態について説明する。なお、各図は、各構成要素の形状、大きさ及び配置関係について、この考案が理解できる程度に概略的に示したものにすぎない。また、以下、この考案の好適な構成例について説明するが、各構成要素の材質及び数値的条件などは、単なる好適例にすぎない。したがって、この考案は、以下の実施の形態に何ら限定されない。
【００２３】
（実施の形態１：カメムシ捕虫用光源）
この実施の形態においては、カメムシの捕虫に効果の高い光源を調査した。
【００２４】
実験は、北海道虻田郡倶知安町の比羅夫発電所建屋（以下、単に発電所と称する。）を利用して行った。この発電所には、越冬のために秋口にスコットカメムシが大挙して侵入する。
【００２５】
＜予備実験＞
まず、発電所内で一般的に用いられる照明のうち、スコットカメムシの誘虫効果が高いものを予備的に調査した。この実験は、越冬を終えたスコットカメムシが活動を始める春先に実施した（平成１５年４月２３日〜平成１５年６月３日）。
【００２６】
実験には、図２に示した８種類の光源を用いた。より詳細には、光源として、（１）ハロゲン灯、（２）白色蛍光ランプ、（３）捕虫器用照明、（４）白色白熱電球、（５）青色白熱電球、（６）緑色白熱電球、（７）黄色白熱電球、及び（８）赤色白熱電球を用いた。これらのうち、捕虫器用照明、ハロゲン灯及び白色蛍光ランプを除く５種の光源は、いずれもボール型すなわち電球型である。捕虫器用照明、ハロゲン灯及び白色蛍光ランプは直管型である。
【００２７】
図１に実験に用いた捕虫器５０の模式図を示す。捕虫器５０は、それぞれ同じ高さに設置された複数個の光源５２と、各光源５２の下に配置された、光源５２に対応する個数のコンテナ５４により構成されている。図１では代表して１個の捕虫器５０を示している。
【００２８】
なお、これらのコンテナ５４は、互いに同形であり、上面の全面が開口された直方体状である。そして、これらのコンテナ５４には、スコットカメムシを捕虫するためにタービン油が入れられている。
【００２９】
なお、直管型以外の各光源を、コンテナ５４の矩形状開口の中心を通る鉛直線５４ａ上に配置した。直管型の光源は、コンテナ５４の矩形状開口の中心線の上空に水平に配置した。また、コンテナ５４の底面から各光源５２までの配置高さを同一とした。
【００３０】
予備実験の結果を図２に示す。図２は、縦軸が捕虫されたスコットカメムシの数（匹）を示し、横軸が測定期間単位で表わした時間を示す。なお、各測定期間は一定の日数ではなく、最短で４日から最長で２４日の間で変化している。
【００３１】
なお、後述する図３、図５、図７、図９、図１１、図１２及び図１５の縦軸及び横軸は、それぞれ図２の縦軸及び横軸と同じ単位で示してある。
【００３２】
図２より、捕虫器用照明、白色蛍光ランプ及び白色白熱電球でスコットカメムシの捕虫効果が高いことがわかった。
【００３３】
このことから、照明の種類を選択することにより、一般的な照明でも、スコットカメムシを効果的に捕虫できることが明らかとなった。
【００３４】
＜実験１＞
予備実験の結果を受けて、実験１では、スコットカメムシの捕虫に効果の高い照明の絞り込みを行った。実験１では、同時並行して４種類の実験（実験１−１〜実験１−４）を行った。（実験１−１）〜（実験１−４）の実験条件は、実験装置を設置した部屋が異なる以外は同条件である。また、これらの実験は、スコットカメムシが越冬のために発電所に侵入する秋口から冬にかけて実施した（平成１５年９月２９日〜平成１６年２月２４日）。
【００３５】
＜実験１−１＞
（実験１−１）では、白熱電球の発光色の違いによる捕虫効果を調査した。実験に用いた白熱電球は、青色（東芝ライテック株式会社製、ＩＲＯ  １００／１１０Ｖ  ６０ＷＥＢ）、緑色（東芝ライテック株式会社製、ＩＲＯ  １００／１１０Ｖ  ６０ＷＥＧ）、黄色（東芝ライテック株式会社製、ＩＲＯ  １００／１１０Ｖ  ６０ＷＥＹ）、及び赤色（東芝ライテック株式会社製、ＩＲＯ  １００／１１０Ｖ  ６０ＷＥＲ）である。これらの白熱電球は、いずれも消費電力が６０Ｗである。
【００３６】
実験は、予備実験とおおむね同様の方法で実施した。ただし、捕虫器間の距離が近すぎる場合、隣接する光源の影響により捕虫数が影響されるおそれがあるため、各捕虫器は１．０ｍ間隔で配置した。また、捕虫器の設置場所により、捕虫数が左右されることを防ぐために、１測定期間ごとに捕虫器の設置場所をローテーションした。（実験１−１）の実験期間は、平成１５年９月２９日〜平成１６年２月２４日である。
【００３７】
（実験１−１）の結果を図３に示す。図３によれば、黄色の白熱電球の捕虫効果が突出して大きいことがわかる。すなわち、第２測定期間において、黄色白熱電球を用いた捕虫器では、約１００匹のスコットカメムシが捕虫されている。一方、第２測定期間において、緑色白熱電球の捕虫数は約２５匹であり、赤色及び青色白熱電球の捕虫数は約１６匹であった。このような傾向は、第２〜第８測定期間にかけて持続している。さらに、第１９測定期間において、黄色白熱電球を用いた捕虫器では約３０匹のスコットカメムシが捕虫されている。一方、第１９測定期間において、緑色白熱電球の捕虫数は約３匹であり、赤色白熱電球の捕虫数は約１匹であり、及び青色白熱電球の捕虫数は約５匹であった。
【００３８】
図４（Ａ）〜（Ｄ）に、実験に用いた各色の白熱電球の分光分布を示す。図４（Ａ）は、青色白熱電球の分光分布特性を示す図である。図４（Ｂ）は、緑色白熱電球の分光分布特性を示す図である。図４（Ｃ）は、黄色白熱電球の分光分布特性を示す図である。図４（Ｄ）は、赤色白熱電球の分光分布特性を示す図である。
【００３９】
図４（Ａ）〜（Ｄ）において、縦軸は、各波長の光の比エネルギー（％）を取って示し、また、横軸は、光の波長（ｎｍ）を取って示してある。なお、後述する図６、図８及び図１０の縦軸及び横軸は、それぞれ図４の縦軸及び横軸と同じ単位である。
【００４０】
図４（Ａ）〜（Ｄ）を比較すると、青色白熱電球（図４（Ａ））は、波長が約４８０ｎｍに発光ピークを有し、及び、波長が約６５０〜約７８０ｎｍの光を多量に含んでいる。緑色白熱電球（図４（Ｂ））は、波長が約５２０ｎｍに発光ピークを有し、及び、波長が約６５０〜約７８０ｎｍの光を多量に含んでいる。黄色白熱電球（図４（Ｃ））は、波長が約５２０〜約７８０ｎｍの光を含んでいる。赤色白熱電球（図４（Ｄ））は、波長が約６００〜約７８０ｎｍの光を含んでいる。
【００４１】
捕虫数が格段に多かった黄色白熱電球（図４（Ｃ））と他の白熱電球とを比較すると、黄色白熱電球から発する光には、約５３０〜約６００ｎｍの波長成分が多く含まれていることがわかる。
【００４２】
このことより、スコットカメムシは、約５３０〜約６００ｎｍの波長の光を好むと推測される。
【００４３】
＜実験１−２＞
（実験１−２）では、電球型白色蛍光ランプの発光色の違いによる捕虫効果を調査した。実験に用いた白色蛍光ランプは、電球色（東芝ライテック株式会社製、ＥＦＡ１５ＥＬ／１３−ＺＪ）、昼白色（東芝ライテック株式会社製、ＥＦＡ１５ＥＮ／１３−ＺＪ）、及び昼光色（東芝ライテック株式会社製、ＥＦＡ１５ＥＤ／１３−ＺＪ）である。これらの白色蛍光ランプは、いずれも６０Ｗの白熱電球に相当する照度を有する。
【００４４】
（実験１−２）は（実験１−１）と同様の方法で行った。（実験１−２）の実験期間は、平成１５年９月２９日〜平成１５年１１月２１日である。
【００４５】
（実験１−２）の結果を図５に示す。図５によれば、第２測定期間において、各光源は、最大のカメムシ捕虫数を示している。すなわち、第２測定期間のカメムシ捕虫数は、電球色が約６３０匹、昼白色が約５２０匹、及び昼光色が約４３０匹である。
【００４６】
第２測定期間において、最大捕虫数（６３０匹：電球色）と最小捕虫数（４３０匹：昼光色）との比率は、約１．５倍にとどまっている。これは、実験１−１（図２）、実験１−３（図７）及び実験１−４（図９）と比較した場合、大きな違いとは言えない。つまり、白色蛍光ランプの発光色によっては、捕虫数に大きな違いはないと推測される。ただし、若干電球色の白色蛍光ランプを用いた捕虫器で捕虫効果が高い。
【００４７】
図６（Ａ）〜（Ｃ）に実験に用いた各色の白色蛍光ランプの分光分布を示す。図６（Ａ）は、電球色白色蛍光ランプの分光分布特性を示す図である。図６（Ｂ）は、昼白色白色蛍光ランプの分光分布特性を示す図である。図６（Ｃ）は、昼光色白色蛍光ランプの分光分布特性を示す図である。
【００４８】
図６（Ａ）〜（Ｃ）によれば、これら３種の白色蛍光ランプには、複数の発光ピークが含まれている。主なものを挙げると、約４２０ｎｍ、約４８０ｎｍ、約５４０ｎｍ、約５８０ｎｍ、約６２０ｎｍ及び約７２０ｎｍの波長に発光ピークが存在している。これらの発光ピークは、比エネルギーに若干の違いはあるものの、存在波長が３種の白色蛍光ランプに共通している。
【００４９】
（実験１−２）において、発光色が異なっても捕虫数にさほど大きな差が見られないのは、３種の蛍光ランプに含まれる発光ピーク波長が共通しているためと推測される。
【００５０】
＜実験１−３＞
（実験１−３）では、電球型有色蛍光ランプの発光色の違いによる捕虫効果を調査した。実験に用いた有色蛍光ランプは、赤色（東芝ライテック株式会社製、ＥＦＧ１４ＥＲＥ・Ｇ）、緑色（東芝ライテック株式会社製、ＥＦＧ１４ＥＧ・Ｇ）、及び青色（東芝ライテック株式会社製、ＥＦＧ１４ＥＢ・Ｇ）である。これらの有色蛍光ランプは、いずれも６０Ｗの白熱電球に相当する照度を有する。
【００５１】
（実験１−３）は（実験１−１）と同様の方法で行った。（実験１−３）の実験期間は、平成１５年９月２９日〜平成１５年１１月２１日である。
【００５２】
（実験１−３）の結果を図７に示す。図７によれば、緑色蛍光ランプのカメムシ捕虫数が、他の色の蛍光ランプよりも多いことがわかる。すなわち、全測定期間において、緑色蛍光ランプは、他の色の蛍光ランプよりも捕虫数が多い。特に、第２測定期間においては、緑色蛍光ランプは、捕虫数が約８００匹であった。一方、第２測定期間において、青色蛍光ランプの捕虫数は約１７０匹であり、及び赤色蛍光ランプの捕虫数は約１２０匹であった。
【００５３】
図８（Ａ）〜（Ｃ）に、実験に用いた各色の有色蛍光ランプの分光分布を示す。図８（Ａ）は、赤色蛍光ランプの分光分布特性を示す図である。図８（Ｂ）は、緑色蛍光ランプの分光分布特性を示す図である。図８（Ｃ）は、青色蛍光ランプの分光分布特性を示す図である。
【００５４】
図８（Ａ）〜（Ｃ）を比較すると、捕虫数が格段に大きかった緑色蛍光ランプから発する光には、約５４０ｎｍの波長に最大発光ピークが存在している。一方、赤色及び青色蛍光ランプでは、約５４０ｎｍには、強度の弱いピークしか存在していない。
【００５５】
このことより、スコットカメムシは、約５４０ｎｍの波長の光を特に好むことが推測される。
【００５６】
＜実験１−４＞
（実験１−４）では、ブラックライトの捕虫効果を他の光源と比較した。実験に用いた光源は、ブラックライト（東芝ライテック株式会社製、ＥＦＤ１５ＢＬＢ）、電球色白色蛍光ランプ（東芝ライテック株式会社製、ＥＦＡ１５ＥＬ／１３−ＺＪ）、及び白色白熱電球（東芝ライテック株式会社製、ＬＷ１００Ｖ  ６０ＷＮ）である。
【００５７】
（実験１−４）は（実験１−１）と同様の方法で行った。（実験１−４）の実験期間は、平成１５年９月２９日〜平成１５年１１月２１日である。
【００５８】
（実験１−４）の結果を図９に示す。図９によれば、ブラックライトの捕虫効果が突出して大きいことが明らかにわかる。すなわち、全測定期間において、ブラックライトは、他の光源よりも捕虫数が多い。特に、第２測定期間においては、ブラックライトは、捕虫数が約７４０匹であった。一方、電球色白色蛍光ランプの捕虫数は約２２０匹であり、及び白色白熱電球の捕虫数は約１４０匹であった。
【００５９】
図１０（Ａ）〜（Ｃ）に、実験に用いた各光源の分光分布を示す。図１０（Ａ）は、ブラックライトの分光分布特性を示す図である。図１０（Ｂ）は、電球色白色蛍光ランプの分光分布特性を示す図である。図１０（Ｃ）は、白色白熱電球の分光分布特性を示す図である。
【００６０】
図１０（Ａ）〜（Ｃ）を比較すると、捕虫数が格段に多かったブラックライトから発する光は、約３８０ｎｍ以下の波長の紫外線を多量に含んでおり、約３５０ｎｍの波長に最大発光ピークを有する。一方、他の光源は、約４００ｎｍ以上の波長の可視光線を含むが、波長が約３８０ｎｍ以下の紫外線は含まない。
【００６１】
一般に、昆虫は、紫外線に対して強い走光性を示すことが知られている。図９の結果は、この傾向を裏付けている。
【００６２】
＜実験２＞
実験２では、予備実験及び実験１で高い捕虫効果を示した４種の光源（白色白熱電球、電球色白色蛍光ランプ、緑色蛍光ランプ、及びブラックライト）の比較を行った。実験２では、同時並行して２種類の実験（実験２−１及び実験２−２）を行った。（実験２−１）及び（実験２−２）の実験条件は、実験装置を設置した部屋が異なる以外は同条件である。また、これらの実験は、スコットカメムシの越冬期間中である冬期に実施した（平成１５年１１月２７日〜平成１６年１月１５日）。
【００６３】
＜実験２−１＞
（実験２−１）では、緑色蛍光ランプ、白色白熱電球、及び電球色白色蛍光ランプによる捕虫効果の違いを調査した。なお、緑色蛍光ランプは、（実験１−３）と同様のものを用いた。電球色白色蛍光ランプは、（実験１−２）と同様のものを用いた。また、白色白熱電球は、東芝ライテック株式会社製、ＬＷ１１０Ｖ  ６０ＷＮを用いた。
【００６４】
（実験２−１）は（実験１−１）と同様の方法で行った。（実験２−１）の実験期間は、平成１５年１１月２７日〜平成１６年１月１５日である。
【００６５】
（実験２−１）の結果を図１１に示す。図１１によれば、緑色蛍光ランプの捕虫効果が突出して大きいことが明らかにわかる。すなわち、全測定期間において、緑色蛍光ランプは、他の光源よりも捕虫数が多い。特に、第１測定期間においては、緑色蛍光ランプは、捕虫数が約３３匹であった。一方、電球色白色蛍光ランプの捕虫数は約６匹であり、及び白色白熱電球の捕虫数は約３匹であった。
【００６６】
このことより、緑色蛍光ランプ、白色白熱電球、及び電球色白色蛍光ランプの比較では、緑色蛍光ランプが最も捕虫効果が高いことが明らかとなった。
【００６７】
＜実験２−２＞
（実験２−２）では、緑色蛍光ランプ、白色白熱電球、及びブラックライトによる捕虫効果の違いを調査した。なお、緑色蛍光ランプは、（実験１−３）と同様のものを用いた。白色白熱電球は、（実験２−１）と同様のものを用いた。また、ブラックライトは、（実験１−４）と同様のものを用いた。
【００６８】
（実験２−２）の結果を図１２に示す。図１２によれば、緑色蛍光ランプの捕虫効果が突出して大きいことがわかる。すなわち、ほぼ全測定期間において、緑色蛍光ランプは、他の光源よりも捕虫数が多い。特に、第１測定期間においては、緑色蛍光ランプは、捕虫数が約３７匹であった。一方、第１測定期間において、ブラックライトの捕虫数は約１６匹であり、及び白色白熱電球の捕虫数は約１３匹であった。
【００６９】
このことより、緑色蛍光ランプ、白色白熱電球、及びブラックライトの比較では、緑色蛍光ランプが最も捕虫効果が高いことが明らかとなった。
【００７０】
予備実験、実験１及び実験２の結果をまとめると、スコットカメムシは、可視光線の中で、約５３０〜約６００ｎｍの波長の光を好むことが明らかとなった（図３）。特に、スコットカメムシは、約５４０ｎｍの波長の光で効果的に捕虫されることが明らかとなった（図７、図１１及び図１２）。
【００７１】
一般に、昆虫は、紫外線に強く誘引されることが知られている。しかし、（実験２−２）（図１２）の結果から、約５４０ｎｍの波長の可視光線（緑色蛍光ランプ）は、紫外線（ブラックライト）と同等か、それ以上のカメムシ捕虫効果を示すことが明らかとなった。
【００７２】
（実施の形態２：カメムシ捕虫器）
図１３〜図１６を参照してカメムシ捕虫器の構造について説明する。図１３は、カメムシ捕虫器の構造を概略的に示す斜視図である。図１４（Ａ）は、カメムシ捕虫器の構造を概略的に示す平面図である。図１４（Ｂ）は、カメムシ捕虫器の構造を概略的に示す正面図である。
【００７３】
カメムシ捕虫器１０は、カメムシ捕虫用光源１２（以下、単に光源１２とも称する。）と、カメムシ滑落部品１４と、捕虫容器１６とを備えている。
【００７４】
光源１２は、蛍光ランプ１２ａと固定具１２ｂとを備えている。
【００７５】
蛍光ランプ１２ａは実施の形態１で説明した電球型の緑色蛍光ランプであり、約５４０ｎｍの波長に最大発光ピークを有している。
【００７６】
固定具１２ｂは、カメムシ滑落部品１４の、大径開口端側の内壁すなわち斜面１８ｂに固定されている。固定具１２ｂには、蛍光ランプ１２ａの口金が螺合されるソケットが設けられている。このソケットは、外部から蛍光ランプに電力を供給するためのものである。蛍光ランプ１２ａは、このソケットによりカメムシ滑落部品１４の大径開口１８ａに張り出すように固定される。
【００７７】
カメムシ滑落部品１４は大型の漏斗であり、漏斗の筒口が鉛直方向下向きとなるように配置されている。より詳細には、カメムシ滑落部品１４は、円錐状の壁を形成している本体部１８と、本体部１８の先端に一体的に連通して接続された中空円筒状のパイプ２０とを備えている。カメムシ滑落部品１４は、本体部１８が、光源１２の下側に開放され、かつパイプ２０が捕虫容器１６の内部に突き出すように配置されている。
【００７８】
本体部１８は、先端に孔１８ｃが設けられ、かつ底面（後端）が無蓋の略逆円錐形の部品である。したがって、本体部１８の後端は、円形状の大径開口端を構成していて、この開口端に囲まれた全面が開口している。この開口をカメムシ滑落部品１４の大径開口１８ａと称する。本体部１８の内壁面は、先端部に向かうにつれて、徐々にテーパ状に縮径する斜面１８ｂを形成している。そして、この斜面１８ｂの先端部に孔１８ｃが形成されている。また、斜面１８ｂの上端付近には、上述のように固定具１２ｂがねじ止め等により固定されている。
【００７９】
パイプ２０は、上端が孔１８ｃに接続され、鉛直方向に沿って延在している。パイプ２０の下端は、捕虫容器１６内部で開口されている。このパイプ２０の下端は、円形状の小径開口端を構成している。小径開口端で囲まれた開口をカメムシ滑落部品１４の小径開口２０ａと称する。
【００８０】
捕虫容器１６は蓋付きのバケツである。より詳細には、捕虫容器１６は、容器本体２２と蓋２４とを備えている。
【００８１】
容器本体２２は、円形の底面２２ａと、底面２２ａの外周から上方に延出する側面２２ｂとで囲まれている。容器本体２２は、透明な材料から形成されており、外側から容器本体２２の内部の状態が確認できるように構成されている。
【００８２】
また、容器本体２２の内部には、小径開口２０ａから落下するカメムシを溺死させるために水Ｗが入れられている。なお、容器本体２２に入れる水Ｗは、パイプ２０の小径開口２０ａが水面に浸らないだけの水位とする。なお、用いる水Ｗには特に制限がなく、水道水や井戸水等を使用することができる。また水Ｗには、カメムシの臭気を中和するための芳香剤、カメムシを死亡させるための殺虫剤、及び石けん等の界面活性剤を添加してもよい。
【００８３】
蓋２４は、容器本体２２から取り外し可能であり、容器本体２２の上面を覆って配置されている。蓋２４は略円形の平板状部品であり、その中央部にカメムシ滑落部品１４のパイプ２０が挿通される孔としての連通部２４ａが形成されている。
【００８４】
容器本体２２の側面２２ｂの高さは均一であるので、容器本体２２の上面に蓋２４を被せることにより、捕虫容器１６は連通部２４ａを除いて密閉される。
【００８５】
ここで、カメムシ捕虫器１０に用いた部品の規格及び寸法等について例示する。
【００８６】
光源１２としては、約５４０ｎｍの波長に最大発光ピークを有する緑色蛍光ランプ（東芝ライテック株式会社製、ＥＦＧ１４ＥＧ・Ｇ）を用いた。
【００８７】
カメムシ滑落部品１４の大径開口１８ａの直径は、好ましくは、例えば約３００ｍｍとする。本体部１８の高さは、好ましくは、例えば約２５０ｍｍとする。パイプ２０の長さは、好ましくは、例えば約２２５ｍｍとする。小径開口２０ａの直径は、好ましくは、例えば約３０ｍｍとする。
【００８８】
捕虫容器１６の容器本体２２の直径は、好ましくは、例えば約３００ｍｍとする。容器本体２２の高さは、好ましくは、例えば約３７０ｍｍとする。また、容器本体２２に入れる水Ｗの水位は、好ましくは、例えば約３０ｍｍとする。
【００８９】
次に、カメムシ捕虫器１０の動作について説明する。
【００９０】
捕虫容器１６を所定の場所に設置し、光源１２を点灯させると、カメムシは光源１２に向かって飛来する。飛来したカメムシは、光源１２に衝突して、カメムシ滑落部品１４の斜面１８ｂに落下する。そして、斜面１８ｂを滑落し、次いでパイプ２０を墜落して、捕虫容器１６中の水Ｗに落下する。そして、水Ｗ中で溺死する。
【００９１】
次に、カメムシ捕虫器１０の奏する効果について説明する。
【００９２】
このカメムシ捕虫器１０の捕虫効果を示す実験を行った。
【００９３】
具体的には、実施の形態１の捕虫器５０（以下、従来型捕虫器５０と称する。）と、この実施の形態のカメムシ捕虫器１０とでスコットカメムシの捕虫数を比較した。
【００９４】
カメムシ捕虫器１０及び従来型捕虫器５０に共通して、光源に、（実験１−４）で使用したブラックライトを用いた。実験条件を揃えるために、カメムシ捕虫器１０と従来型捕虫器５０とでブラックライトの設置高さを等しくした。また、従来型捕虫器５０に用いたコンテナ５４の開口と、カメムシ捕虫器１０の大径開口１８ａとをほぼ同等の面積とした。さらに、コンテナ５４及び容器本体２２に落下したスコットカメムシを確実に捕虫するために、両者（コンテナ５４及び容器本体２２）には、同水位のタービン油を張った。
【００９５】
なお、この実験は（実験１−１）と同様の方法で行った。この実験の実験期間は、平成１５年１１月２７日〜平成１６年１月１５日である。
【００９６】
その結果を図１５に示す。図１５によれば、明らかにカメムシ捕虫器１０の捕虫効果が高いことがわかる。すなわち、全測定期間にわたり、カメムシ捕虫器１０は、従来型捕虫器５０よりも捕虫数が多い。特に、第１測定期間においては、カメムシ捕虫器１０の捕虫数は、約２２０匹であり、従来型捕虫器５０の１０倍近い値である。
【００９７】
このことより、カメムシ捕虫器１０は、従来型捕虫器５０よりもスコットカメムシの捕虫に効果的であることが明らかとなった。
【００９８】
また、光源１２として占有スペースの小さい電球型（ボール型）の蛍光ランプを用いている。その結果、直管型の紫外線発光灯を用いる従来技術よりもカメムシ捕虫器１０の占有スペースを小さくすることができる。
【００９９】
さらに、光源１２をカメムシ滑落部品１４に固定している。その結果、光源と虫類収集箱とが別体とされていた従来技術よりもカメムシ捕虫器１０の占有スペースを小さくすることができる。
【０１００】
また、光源１２として紫外線を発生しない緑色蛍光ランプを用いるので、紫外線照射に伴う人体への悪影響の懸念がない。
【０１０１】
また、カメムシ捕虫器１０は、いわば、バケツと漏斗と光源とを組み合わせて形成されており、安価であるとともに構造が簡単である。
【０１０２】
また、カメムシ捕虫器１０では、カメムシの捕虫に当たり、光源１２に衝突して落下したカメムシを、斜面１８ｂにより滑落させる。これにより、光源１２と斜面１８ｂとの間の、カメムシの自由落下距離を短くすることができる。その結果、自由落下過程で再飛行して逃走するカメムシの数を減少させることができる。よって、効果的にカメムシを捕虫することができる。
【０１０３】
また、カメムシは直径が約３０ｍｍのパイプ２０を落ちるので、内壁面が障害となり、パイプ２０中での再飛行が阻害される。よって、カメムシは、確実にパイプ２０内を墜落する。
【０１０４】
これに加えて、パイプ２０の小径開口２０ａが、水Ｗの水面近くに設けられている。よって、小径開口２０ａから水面までの間に再飛行させることなく、カメムシを確実に水Ｗに落下させることができる。
【０１０５】
また、捕虫容器１６の容器本体２２を透明な材料で形成しているので、容器本体２２に捕虫されたカメムシの量を確認することができる。その結果、水Ｗの水位を超えるほど多量のカメムシの蓄積を予防することができる。
【０１０６】
また、この光源１２は、スコットカメムシの捕虫に特に顕著な効果を発揮する。
【０１０７】
次に、図１６を参照してカメムシ捕虫器１０の変形例について説明する。図１６は、カメムシ捕虫器１０の変形例を示す正面図である。なお、図１６において図１３及び図１４と同様の構成要素には同符号を付してその説明を省略する。
【０１０８】
図１６に示したカメムシ捕虫器３０は、カメムシ滑落部品３２が捕虫容器１６の蓋を兼ねている点がカメムシ捕虫器１０と異なっている。
【０１０９】
カメムシ捕虫器３０において、カメムシ滑落部品３２は、先端に円形状の小径開口端が設けられ、この開口端に囲まれた小径開口３２ａを備えている。また、カメムシ滑落部品３２の後端は、円形状の大径開口端を構成していて、この大径開口端に囲まれた全面が開口している。この開口をカメムシ滑落部品３２の大径開口３２ｂと称する。そして、カメムシ滑落部品３２の内壁の斜面３２ｃには、光源１２が固定されている。
【０１１０】
カメムシ滑落部品３２は、大径開口３２ｂを鉛直方向上向きにして、及び小径開口３２ａを鉛直方向下向きにして、捕虫容器１６の容器本体２２の開口部に隙間なく嵌り込んでいる。
【０１１１】
光源１２に向かって飛来するカメムシは、光源１２に衝突して落下し、斜面３２ｃを滑落して小径開口３２ａから容器本体２２中の水Ｗに落下する。
【０１１２】
カメムシ捕虫器３０は、カメムシ滑落部品３２が捕虫容器１６の蓋を兼ねているので、カメムシ捕虫器１０に比べて構成部品点数を少なくすることができる。
【図面の簡単な説明】
【０１１３】
【図１】実施の形態１で用いた捕虫器の模式図である。
【図２】予備実験のカメムシ捕虫結果を示す図である。
【図３】（実験１−１）のカメムシ捕虫結果を示す図である。
【図４】（実験１−１）に用いた光源の分光分布を示す。（Ａ）は青色白熱電球の分光分布を示し、（Ｂ）は緑色白熱電球の分光分布を示し、（Ｃ）は黄色白熱電球の分光分布を示し、及び（Ｄ）は、赤色白熱電球の分光分布を示す。
【図５】（実験１−２）のカメムシ捕虫結果を示す図である。
【図６】（実験１−２）に用いた光源の分光分布を示す。（Ａ）は電球色白色蛍光ランプの分光分布を示し、（Ｂ）昼白色白色蛍光ランプの分光分布を示し、及び（Ｃ）は昼光色白色蛍光ランプの分光分布を示す。
【図７】（実験１−３）のカメムシ捕虫結果を示す図である。
【図８】（実験１−３）に用いた光源の分光分布を示す。（Ａ）は赤色蛍光ランプの分光分布を示し、（Ｂ）緑色蛍光ランプの分光分布を示し、及び（Ｃ）は青色蛍光ランプの分光分布を示す。
【図９】（実験１−４）のカメムシ捕虫結果を示す図である。
【図１０】（実験１−４）に用いた光源の分光分布を示す。（Ａ）はブラックライトの分光分布を示し、（Ｂ）電球色白色蛍光ランプの分光分布を示し、及び（Ｃ）は白色白熱電球の分光分布を示す。
【図１１】（実験２−１）のカメムシ捕虫結果を示す図である。
【図１２】（実験２−２）のカメムシ捕虫結果を示す図である。
【図１３】実施の形態２のカメムシ捕虫器の構造を概略的に示す斜視図である。
【図１４】（Ａ）はカメムシ捕虫器の構造を概略的に示す平面図であり、及び（Ｂ）はカメムシ捕虫器の構造を概略的に示す正面図である。
【図１５】実施の形態２のカメムシ捕虫器の捕虫効果の説明に供する図である。
【図１６】実施の形態２のカメムシ捕虫器の変形例を示す正面図である。
【符号の説明】
【０１１４】
１０  カメムシ捕虫器
１２  カメムシ捕虫用光源
１２ａ  蛍光ランプ
１２ｂ  固定具
１４  カメムシ滑落部品
１６  捕虫容器
１８  本体部
１８ａ  大径開口
１８ｂ  斜面
１８ｃ  孔
２０  パイプ
２０ａ  小径開口
２２  容器本体
２２ａ  底面
２２ｂ  側面
２４  蓋
２４ａ  連通部
５０  捕虫器
５２  光源
５４  コンテナ
５４ａ  鉛直線
【図１】
0003124690.tif 000003
【図２】
0003124690.tif 000004
【図３】
0003124690.tif 000005
【図４】
0003124690.tif 000006
【図５】
0003124690.tif 000007
【図６】
0003124690.tif 000008
【図７】
0003124690.tif 000009
【図８】
0003124690.tif 000010
【図９】
0003124690.tif 000011
【図１０】
0003124690.tif 000012
【図１１】
0003124690.tif 000013
【図１２】
0003124690.tif 000014
【図１３】
0003124690.tif 000015
【図１４】
0003124690.tif 000016
【図１５】
0003124690.tif 000017
【図１６】
0003124690.tif 000018